(57)【要約】【課題】取り付け時の作業性が良好な照明装置の取付構造を提供する。【解決手段】基礎部２０の下側に照明装置１００を懸架して取り付ける照明装置の取付構造において、照明装置１００側に設けられ第１の長孔９が形成された第１の受け板５と、基礎部２０側に設けられ第２の長孔８が形成された第２の受け板３と、第１の長孔９の内側及び第２の長孔８の内側に通されるロッド部４と、ロッド部４の照明装置１００側の端部に設けられたばね受け部７と、ロッド部４の基礎部２０側に設けられ、第２の受け板３に引っ掛け可能な引っ掛けピン１と、ばね受け部７と第１の受け板５との間に挿入され、引っ掛けピン１が第２の受け板３に引っ掛かった状態で第１の受け板５を第２の受け板３の側に押圧可能な圧縮ばね６と、ばね受け部７と第１の受け板５との間で圧縮ばね６が圧縮された状態で保持可能な保持ピン２と、を備える。【選択図】図３
2019220439.tif 000002
【特許請求の範囲】
【請求項１】
基礎部の下側に照明装置を懸架して取り付ける照明装置の取付構造であって、
前記基礎部側及び前記照明装置側の一方に設けられ、第１の貫通孔が形成された第１の受け部と、
前記基礎部側及び前記照明装置側の他方に設けられ、第２の貫通孔が形成された第２の受け部と、
前記第１の貫通孔の内側及び前記第２の貫通孔の内側に通されるロッド部と、
前記ロッド部における前記基礎部側及び前記照明装置側の前記一方に設けられたばね受け部と、
前記ロッド部における前記基礎部側及び前記照明装置側の前記他方に設けられ、前記第２の受け部に引っ掛け可能な引っ掛け部と、
前記ばね受け部と前記第１の受け部との間に挿入され、前記引っ掛け部が前記第２の受け部に引っ掛かった状態で前記第１の受け部を前記第２の受け部の側に押圧可能な圧縮ばねと、
前記ばね受け部と前記第１の受け部との間で前記圧縮ばねが圧縮された状態で保持可能な保持手段と、を備えた照明装置の取付構造。
【請求項２】
前記第１の貫通孔は、第１の長孔であり、
前記第２の貫通孔は、第２の長孔であり、
前記引っ掛け部は、前記第２の長孔の長軸より短く、前記第２の長孔の短軸より長い引っ掛けピンであり、
前記保持手段は、前記第１の長孔の長軸より短く、前記第１の長孔の短軸より長い保持ピンであり、
前記ロッド部の向きが、前記引っ掛けピンが前記第２の長孔内を通過可能な向きのとき、前記保持ピンは前記第１の長孔内を通過可能でない請求項１に記載の照明装置の取付構造。
【請求項３】
前記基礎部には、前記第２の長孔の長軸より大きい径の丸孔が形成され、
前記第１の受け部は、前記基礎部及び前記照明装置とは別体に設けられ、
前記第２の受け部は、前記基礎部及び前記照明装置とは別体に設けられた請求項２に記載の照明装置の取付構造。
【請求項４】
前記第１の受け部及び前記ばね受け部は、前記照明装置側に設けられ、
前記第２の受け部及び前記引っ掛け部は、前記基礎部側に設けられた請求項１から請求項３のいずれか一項に記載の照明装置の取付構造。
【請求項５】
前記第１の受け部及び前記ばね受け部は、前記基礎部側に設けられ、
前記第２の受け部及び前記引っ掛け部は、前記照明装置側に設けられた請求項１から請求項３のいずれか一項に記載の照明装置の取付構造。
【発明の詳細な説明】
【技術分野】
【０００１】
この発明は、照明装置の取付構造に関するものである。
【背景技術】
【０００２】
建物の天井部に照明装置を取り付ける取付構造として、ボルト及びナットからなる連結部材を用いたものが知られている（例えば、特許文献１参照）。また、ボルト及びナットを用いずに板状部材を締結できるものとして、交差部と頭部とを有する回転軸と、ばね部材と、ソケットからなる、複数の板状部材を締め合わせるための回転式締め具が知られている（例えば、特許文献２参照）。
【先行技術文献】
【特許文献】
【０００３】
【特許文献１】特開２００９−２３８５４４号公報
【特許文献２】特開昭６２−２３７１０７号公報
【発明の概要】
【発明が解決しようとする課題】
【０００４】
一般に、天井部に照明装置を吊り下げて取り付ける場合、取り付け作業が完了するまで、照明装置を取付箇所で位置合わせした状態で支持し続ける必要がある。特許文献１に示されるような照明装置の取付構造では、ボルトを取り付け用の孔に通し、ナットによる締結が終了するまで、照明装置を取付箇所で位置合わせした状態で支持し続けなければならず、作業性が悪い。また、特許文献１に示されるような照明装置において、特許文献２に示されるような回転式締め具を用いて取り付けた場合、ばね部材の弾性力に抗して頭部側から回転軸を押し込んで、取り付け用の孔に回転軸の交差部側を通さなければならない。そして、この間、照明装置を取付箇所で位置合わせした状態で支持し続けなければならないため、やはり、作業性が良好とは言えない。
【０００５】
この発明は、このような課題を解決するためになされたものである。その目的は、容易に基礎部の下側に照明装置を懸架して取り付けることができ、取り付け時の作業性が良好である照明装置の取付構造を得ることにある。
【課題を解決するための手段】
【０００６】
この発明に係る照明装置の取付構造は、基礎部の下側に照明装置を懸架して取り付ける照明装置の取付構造であって、前記基礎部側及び前記照明装置側の一方に設けられ、第１の貫通孔が形成された第１の受け部と、前記基礎部側及び前記照明装置側の他方に設けられ、第２の貫通孔が形成された第２の受け部と、前記第１の貫通孔の内側及び前記第２の貫通孔の内側に通されるロッド部と、前記ロッド部における前記基礎部側及び前記照明装置側の前記一方に設けられたばね受け部と、前記ロッド部における前記基礎部側及び前記照明装置側の前記他方に設けられ、前記第２の受け部に引っ掛け可能な引っ掛け部と、前記ばね受け部と前記第１の受け部との間に挿入され、前記引っ掛け部が前記第２の受け部に引っ掛かった状態で前記第１の受け部を前記第２の受け部の側に押圧可能な圧縮ばねと、前記ばね受け部と前記第１の受け部との間で前記圧縮ばねが圧縮された状態で保持可能な保持手段と、を備える。
【発明の効果】
【０００７】
この発明に係る照明装置の取付構造によれば、容易に基礎部の下側に照明装置を懸架して取り付けることができ、取り付け時の作業性が良好であるという効果を奏する。
【図面の簡単な説明】
【０００８】
【図１】この発明の実施の形態１に係る照明装置の取付構造の適用例であるクレーン装置を示す斜視図である。
【図２】この発明の実施の形態１に係る照明装置を模式的に示す斜視図である。
【図３】この発明の実施の形態１に係る取付構造により照明装置を取り付けた状態を正面から見た構成を模式的に示す断面図である。
【図４】この発明の実施の形態１に係る取付構造により照明装置を取り付けた状態を側面から見た構成を模式的に示す断面図である。
【図５】この発明の実施の形態１に係る取付構造の構成要素を正面から見た構成を模式的に示す断面図である。
【図６】この発明の実施の形態１に係る取付構造の構成要素を側面から見た構成を模式的に示す断面図である。
【図７】この発明の実施の形態１に係る取付構造が備える第１の受け板の上面図である。
【図８】この発明の実施の形態１に係る取付構造が備える第２の受け板の上面図である。
【図９】この発明の実施の形態１に係る取付構造の第１の受け板を除いた正面図である。
【図１０】この発明の実施の形態１に係る取付構造により照明装置を取り付ける過程を説明する図である。
【図１１】この発明の実施の形態１に係る取付構造により照明装置を取り付ける過程を説明する図である。
【図１２】この発明の実施の形態１に係る取付構造により照明装置を取り付ける過程を説明する図である。
【図１３】この発明の実施の形態１に係る取付構造により照明装置を取り付ける過程を説明する図である。
【図１４】この発明の実施の形態１に係る取付構造により照明装置を取り付ける過程を説明する図である。
【図１５】この発明の実施の形態１に係る取付構造により照明装置を取り付ける過程を説明する図である。
【図１６】この発明の実施の形態１に係る取付構造により照明装置を取り付ける過程を説明する図である。
【図１７】この発明の実施の形態１に係る取付構造により照明装置を取り付ける過程を説明する図である。
【図１８】この発明の実施の形態１に係る照明装置の取付構造に作用する力を説明する図である。
【図１９】この発明の実施の形態２に係る取付構造により照明装置を取り付けた状態を正面から見た構成を模式的に示す断面図である。
【図２０】この発明の実施の形態２に係る取付構造により照明装置を取り付けた状態を側面から見た構成を模式的に示す断面図である。
【図２１】この発明の実施の形態３に係る取付構造により照明装置を取り付けた状態を正面から見た構成を模式的に示す断面図である。
【図２２】この発明の実施の形態３に係る取付構造により照明装置を取り付けた状態を側面から見た構成を模式的に示す断面図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図１８は、この発明の実施の形態１に係るものである。図１は照明装置の取付構造の適用例であるクレーン装置を示す斜視図である。図２は照明装置を模式的に示す斜視図である。図３は取付構造により照明装置を取り付けた状態を正面から見た構成を模式的に示す断面図である。図４は取付構造により照明装置を取り付けた状態を側面から見た構成を模式的に示す断面図である。図５は取付構造の構成要素を正面から見た構成を模式的に示す断面図である。図６は取付構造の構成要素を側面から見た構成を模式的に示す断面図である。図７は取付構造が備える第１の受け板の上面図である。図８は取付構造が備える第２の受け板の上面図である。図９は取付構造の第１の受け板を除いた正面図である。図１０から図１７は取付構造により照明装置を取り付ける過程を説明する図である。そして、図１８は照明装置の取付構造に作用する力を説明する図である。
【００１１】
図１に示すのは、この発明の実施の形態１に係る照明装置の取付構造により取り付けた照明装置１００を備えたクレーン装置である。照明装置１００は、例えば、工場又は倉庫等の天井等の高所に設置されたクレーンに取り付けられている。この図１に示す例では、クレーンは、第１の梁１１及び第２の梁１２を備えている。１組の第１の梁１１（１組のうちの一方のみを図示し他方は図示しない）の上に第２の梁１２が渡されている。第２の梁１２には、基礎部２０が固定されている。そして、基礎部２０に照明装置１００が吊り下げられている。基礎部２０は、照明装置１００を懸架する基礎となる部分である。この実施の形態に係る照明装置の取付構造は、基礎部２０の下側に照明装置１００を懸架して取り付けるものである。
【００１２】
図２に示すように、照明装置１００は、照明部１１０及びアーム部１２０を備えている。照明部１１０は、光源を有する。光源は、例えばＬＥＤである。照明部１１０は、例えば直方体状の筐体を備えている。そして、この筐体内に光源であるＬＥＤが収容されている。照明部１１０の筐体の下面は、ＬＥＤからの光が透過できるように、開放され又は透明になっている。
【００１３】
アーム部１２０は、照明部１１０を設置箇所で支持するための部材である。アーム部１２０は、照明部１１０に固定されている。ここでは、アーム部１２０は、正面視コ字状を呈する。そして、アーム部１２０は、コ字状の開放された側を下向きにして、照明部１１０の両側面に固定されている。アーム部１２０には、照明装置丸孔１２１が形成されている。照明装置丸孔１２１は、ここでは２つ形成されている。２つの照明装置丸孔１２１の間隔は、具体的に例えば、１５０ｍｍ以上２００ｍｍ以下である。
【００１４】
また、図３及び図４に示すように、基礎部２０には、基礎部丸孔２１が形成されている。基礎部丸孔２１は、ここでは２つ形成されている。２つの基礎部丸孔２１の間隔は、照明装置丸孔１２１の間隔に合わせられている。また、ここでは、基礎部丸孔２１の径は、照明装置丸孔１２１の径よりも大きい。
【００１５】
照明装置１００は、この実施の形態に係る照明装置の取付構造により、図３及び図４に示すようにして基礎部２０に取り付けられる。図５及び図６に示すように、この実施の形態に係る照明装置の取付構造は、引っ掛けピン１、保持ピン２、ロッド部４、第２の受け板３、圧縮ばね６及びばね受け部７を備えている。
【００１６】
第１の受け板５は、第１の受け部である。第２の受け板３は、第２の受け部である。第１の受け板５は、基礎部２０及び照明装置１００とは別体に設けられた板状の部材である。第２の受け板３も、基礎部２０及び照明装置１００とは別体に設けられた板状の部材である。第１の受け板５は、基礎部２０側及び照明装置１００側の一方に設けられる。第２の受け板３は、基礎部２０側及び照明装置１００側の他方に設けられる。この実施の形態では、第１の受け板５は照明装置１００側に配置される。したがって、第２の受け板３は基礎部２０側に配置される。
【００１７】
図７に示すように、第２の受け板３には、第２の長孔８が形成されている。第２の長孔８は、第２の貫通孔である。第２の長孔８は、ここでは２つ形成されている。２つの第２の長孔８の間隔は、基礎部丸孔２１及び照明装置丸孔１２１の間隔に合わせられている。
【００１８】
図８に示すように、第１の受け板５には、第１の長孔９が形成されている。第１の長孔９は、第１の貫通孔である。第１の長孔９は、ここでは２つ形成されている。２つの第１の長孔９の間隔は、基礎部丸孔２１及び照明装置丸孔１２１の間隔に合わせられている。
【００１９】
ここで説明する構成例では、第１の長孔９と第２の長孔８とは同形状である。すなわち、第１の長孔９の長軸寸法と第２の長孔の０長軸寸法とは等しい。そして、第１の長孔９の短軸寸法と第２の長孔８の短軸寸法とは等しい。また、基礎部丸孔２１の径は、第１の長孔９の長軸寸法及び第２の長孔８の長軸寸法より大きい。さらに、照明装置丸孔１２１の径は、第１の長孔９の長軸寸法及び第２の長孔８の長軸寸法以上である。ここでは、照明装置丸孔１２１の径は、第１の長孔９の長軸寸法及び第２の長孔８の長軸寸法に等しい。
【００２０】
ロッド部４は、円柱棒状の部材である。ロッド部４は、ここでは２つ設けられる。それぞれのロッド部４は、第１の長孔９の内側及び第２の長孔８の内側に通される。ロッド部４には、ばね受け部７が設けられている。ばね受け部７は、ロッド部４における基礎部２０側及び照明装置１００側のうちの前述した一方に設けられる。つまり、ばね受け部７は、第１の受け板５と同じ側に配置される。ここでは、ばね受け部７は、照明装置１００側となるロッド部４の下端部に固定されている。
【００２１】
また、ロッド部４には、引っ掛けピン１が設けられている。引っ掛けピン１は、ロッド部４における基礎部２０側及び照明装置１００側のうちの前述した他方に設けられる。つまり、引っ掛けピン１は、第２の受け板３と同じ側に配置される。ここでは、引っ掛けピン１は、基礎部２０側に設けられる。引っ掛けピン１は、ロッド部４におけるばね受け部７とは反対側、すなわちロッド部４の上端側に設けられている。
【００２２】
引っ掛けピン１は、棒状の部材である。引っ掛けピン１は、第２の受け部である第２の受け板３に引っ掛け可能な引っ掛け部である。引っ掛けピン１の長手方向は、ロッド部４の長手方向と直交している。引っ掛けピン１の長手方向の寸法は、第２の長孔８の長軸寸法より短く、かつ、第２の長孔８の短軸寸法より長い。したがって、引っ掛けピン１の長手方向が第２の長孔８の長軸方向と平行であれば、引っ掛けピン１は、第２の長孔８内を通ることができる。
【００２３】
一方、引っ掛けピン１の長手方向が、例えば第２の長孔８の短軸方向と平行であれば、引っ掛けピン１は、第２の長孔８内を通ることができない。この場合は、引っ掛けピン１が第２の受け板３に引っ掛かる。すなわち、図５及び図６に示すように引っ掛けピン１が設けられたロッド部４の上端側を下から第２の長孔８内に通した状態で、引っ掛けピン１を上側から第２の受け板３に引っ掛けることができる。
【００２４】
圧縮ばね６は、ばね受け部７と第１の受け板５との間に挿入されている。圧縮ばね６の内側には、ロッド部４が通されている。圧縮ばね６の下端側は、ばね受け部７によって、それよりも下方への移動が規制されている。このため、図５及び図６に示す引っ掛けピン１が第２の受け板３に引っ掛かった状態で、圧縮ばね６は、第１の受け板５を第２の受け板３の側に押圧可能である。
【００２５】
また、ロッド部４には、保持ピン２が設けられている。保持ピン２は、ロッド部４におけるばね受け部７と引っ掛けピン１との間に設けられる。保持ピン２は、棒状の部材である。保持ピン２の長手方向は、ロッド部４の長手方向と直交している。また、保持ピン２の長手方向は、引っ掛けピン１の長手方向とも直交している。保持ピン２の長手方向の寸法は、第１の長孔９の長軸寸法より短く、かつ、第１の長孔９の短軸寸法より長い。保持ピン２の長手方向が第１の長孔９の長軸方向と平行であれば、保持ピン２は、第１の長孔９内を通ることができる。一方、保持ピン２の長手方向が、例えば第１の長孔９の短軸方向と平行であれば、保持ピン２は、第１の長孔９内を通ることができない。この場合は、保持ピン２が第１の受け板５に引っ掛かる。
【００２６】
ばね受け部７と第１の受け板５との間で圧縮ばね６を圧縮した状態で、保持ピン２を第１の受け板５の圧縮ばね６とは反対側に引っ掛けることで、この状態を保持することができる（図１２及び図１３）。すなわち、保持ピン２は、ばね受け部７と第１の受け板５との間で圧縮ばね６が圧縮された状態で保持可能な保持手段である。
【００２７】
ばね受け部７と第１の受け板５との間で圧縮ばね６が圧縮された状態が保持されているときに、ロッド部４を回転させて保持ピン２の向きを変え、保持ピン２の長手方向を第１の長孔９の長軸方向と平行にすると、保持ピン２と第１の受け板５との引っ掛かりが解ける。すなわち、ばね受け部７と第１の受け板５との間で圧縮ばね６が圧縮された状態が解除される。
【００２８】
前述したように、引っ掛けピン１の長手方向と保持ピン２の長手方向とは、直交している。また、図７及び図８に示すように、第１の受け板５及び第２の受け板３は、第１の長孔９の長軸の方向と第２の長孔８の長軸の方向とが平行となるように配置される。したがって、ロッド部４の向きが、引っ掛けピン１が第２の長孔８内を通過可能な向きのとき、保持ピン２は第１の長孔９内を通過可能でない。また、逆に、ロッド部４の向きが、保持ピン２が第１の長孔９内を通過可能な向きのとき、引っ掛けピン１は第２の長孔８内を通過可能でない。なお、ここでいうロッド部４の向きとは、ロッド部４の長手方向に平行な軸を中心として、ロッド部４を回転させた場合の向きのことである。
【００２９】
このため、保持ピン２を第１の受け板５に引っ掛けて、ばね受け部７と第１の受け板５との間で圧縮ばね６が圧縮された状態を保持しているとき、引っ掛けピン１を第２の長孔８内に通すことが可能である。そして、ロッド部４を回転させて、ばね受け部７と第１の受け板５との間で圧縮ばね６が圧縮された状態を解除すると、同時に引っ掛けピン１を第２の受け板３に引っ掛けることができる。
【００３０】
この状態においては、ばね受け部７と第１の受け板５との間で圧縮ばね６が圧縮された状態を解除されている。このため、圧縮ばね６は、第１の受け板５を第２の受け板３の側に押圧可能である。したがって、圧縮ばね６の弾性力により、第１の受け板５と第２の受け板３との間に物を挟持できる。そして、図３及び図４に示すように、第１の受け板５と第２の受け板３との間で、照明装置１００のアーム部１２０と基礎部２０とを挟持することで、基礎部２０に照明装置１００を取り付けることができる。
【００３１】
図７に示すように、第２の受け板３の上面には、溝部１０が形成されている。溝部１０は、第２の長孔８の短軸と重なる位置に配置されている。引っ掛けピン１は、溝部１０内に嵌まることができるようになっている。このため、基礎部２０に照明装置１００を取り付けた図３及び図４に示す状態において、引っ掛けピン１が不用意に回転し、引っ掛けピン１の第２の受け板３への引っ掛かりが外れてしまうことを防止できる。
【００３２】
次に、以上のように構成された照明装置の取付構造により、照明装置１００を基礎部２０に取り付ける手順の一例について、図１０から図１７を参照しながら説明する。まず、図１０及び図１１に示すように、基礎部丸孔２１と照明装置丸孔１２１とが重なり合うように、照明装置１００のアーム部１２０を基礎部２０の下に配置する。また、第２の受け板３の第２の長孔８と基礎部丸孔２１とが重なり合うように、基礎部２０の上から第２の受け板３をあてがう。
【００３３】
次に、図１２及び図１３に示すように、予め保持ピン２を第１の受け板５に引っ掛けることで、ばね受け部７と第１の受け板５との間で圧縮ばね６が圧縮された状態とした組立体を用意する。この組立体は、引っ掛けピン１、保持ピン２、ロッド部４、第１の受け板５、圧縮ばね６及びばね受け部７からなる。そして、当該組立体のロッド部４を照明装置丸孔１２１内、基礎部丸孔２１内及び第２の長孔８内に下から通す。この際、引っ掛けピン１の長手方向を第２の長孔８の長軸と平行にし、引っ掛けピン１を第２の受け板３よりも上側に出す。
【００３４】
そして、図１４及び図１５に示すように、ロッド部４を回転させる。すると、図１６及び図１７に示すように、保持ピン２の長手方向が第１の長孔９の長軸と平行になるまでロッド部４が回転すると、保持ピン２の第１の受け板５への引っ掛かりが外れ、保持ピン２が第１の長孔９を通過できるようになる。そして、圧縮ばね６の弾性力により、ロッド部４が、引っ掛けピン１、保持ピン２及びばね受け部７とともに下方に押し出される。この状態では、引っ掛けピン１の長手方向が第２の長孔８の短軸と平行である。したがって、引っ掛けピン１が第２の受け板３に引っ掛かったところで、ロッド部４の移動は止まる。
【００３５】
こうして、図３及び図４に示す状態になり、第１の受け板５と第２の受け板３との間で、照明装置１００のアーム部１２０と基礎部２０とが圧縮ばね６の弾性力により挟持される。以上のようにして、基礎部２０に照明装置１００を取り付けることができる。この際、保持手段である保持ピン２により、第１の受け板５とばね受け部７との間で圧縮ばね６が圧縮された状態を保持したまま、ロッド部４を照明装置丸孔１２１内、基礎部丸孔２１内及び第２の長孔８内に通すことができる。したがって、圧縮ばね６の弾性力に抗してロッド部４を押す必要がない。このため、ボルト、ナット等の締結部材を用いることなく容易に基礎部２０の下側に照明装置１００を懸架して取り付けることができ、取り付け時の作業性が良好である。
【００３６】
また、第１の長孔９が形成された第１の受け板５と、第２の長孔８が形成された第２の受け板３は、基礎部２０及び照明装置１００とは別体で用意される。そして、少なくとも、基礎部丸孔２１の径は、第２の長孔８の長軸より大きい。このため、基礎部丸孔２１及び照明装置丸孔１２１を用いてボルト及びナットで取り付けられていた既設の照明装置１００であっても、基礎部２０及び照明装置１００に新たな加工を施すことなく、この実施の形態に係る取付構造を適用できる。
【００３７】
なお、基礎部２０から照明装置１００を取り外す場合は、基本的に以上の取り付け手順を逆に辿ればよい。なお、この場合は最初に圧縮ばね６の弾性力に抗してばね受け部７（ロッド部４）を押し上げ、引っ掛けピン１を溝部１０の外に出すことで、ロッド部４を回転させることができるようになる。
【００３８】
次に、以上のように構成された照明装置の取付構造の構成要素の主な寸法の具体例について、図５から図８を参照しながら説明する。まず、第１の長孔９及び第２の長孔８の長軸寸法は、例えば１２［ｍｍ］以上とする。引っ掛けピン１及び保持ピン２の長手方向の寸法は、１２［ｍｍ］以下、具体的に例えば１１［ｍｍ］とする。そして、第１の長孔９及び第２の長孔８の短軸寸法は、１２［ｍｍ］以下、具体的に例えば５［ｍｍ］とする。このようにすると、図５に示すように、引っ掛けピン１の両端から３［ｍｍ］の部分が、第２の受け板３に引っ掛かることになる。
【００３９】
次に、図１８を参照しながら、引っ掛けピン１の断面形状とその寸法の具体例について説明する。まず、照明装置１００の重量Ｍｍａｘを７．０［ｋｇ］とする。すると、照明装置１００にかかる重力Ｆは、以下の（１）により求まる。
【００４０】
Ｆ  ＝  Ｍｍａｘ・９．８［ｍ／ｓ２］  ≒  ７０．０［Ｎ］  ・・・  （１）
【００４１】
したがって、２本のロッド部４のそれぞれにかかる力をＦ１、さらに引っ掛けピン１と第２の受け板３との間で働く力をＦ２とすると、Ｆ１及びＦ２は以下の（２）、（３）式のようになる。
【００４２】
Ｆ１  ＝  Ｆ／２  ＝  ３５．０［Ｎ］  ・・・  （２）
Ｆ２  ＝  （Ｆ１）／２  ＝  １７．５［Ｎ］  ・・・  （３）
【００４３】
ここで、引っ掛けピン１の材質は構造用炭素鋼「Ｓ４５Ｃ」であると想定する。構造用炭素鋼「Ｓ４５Ｃ」のせん断強度ｆは９０［Ｎ／ｍｍ＾２］である。したがって、安全率α＝１２とすると、許容せん断応力σＢは、次の（４）式のように求まる。
【００４４】
σＢ  ＝  ｆ／α  ≒  ７．５［Ｎ／ｍｍ＾２］  ・・・  （４）
【００４５】
ピンに発生するせん断応力σは、以下の（５）式から算出できる。この（５）式中のκは形状係数で、Ｓは引っ掛けピン１の断面積である。
【００４６】
σ  ＝  κ・（（Ｆ２）／Ｓ）  ［Ｎ／ｍｍ＾２］  ・・・  （５）
【００４７】
ここで、引っ掛けピン１の断面を長方形とすると、形状係数κ＝１．５である。したがって、（５）で表されるせん断応力σは、約２６．３／Ｓ［Ｎ／ｍｍ＾２］になる。そこで、σＢ＞σとなるＳは、Ｓ＞３．５［ｍｍ＾２］であると求まる。以上のような計算により、引っ掛けピン１の断面形状を長方形した場合、その断面積を３．５［ｍｍ＾２］より大きくすればよい。具体的に例えば、引っ掛けピン１の断面の短辺寸法を１．６［ｍｍ］とし、長辺寸法２．２［ｍｍ］とする。引っ掛けピン１の断面の長辺は、ロッド部４の長手方向に平行となるようにすることが好ましい。
【００４８】
なお、ここで説明した構成例では、保持手段である保持ピン２をロッド部４に固定し、ロッド部４を回転させることにより、保持ピン２の第１の受け板５への引っ掛かりが外れて、ばね受け部７と第１の受け板５との間で圧縮ばね６が圧縮された状態を解除できるようにした。しかしながら、保持手段の構成は、以上で説明した例に限られない。他に例えば、保持ピン２をロッド部４から引き抜くことができるようにしてもよい。この場合、保持ピン２をロッド部４から引き抜くことで、ばね受け部７と第１の受け板５との間で圧縮ばね６が圧縮された状態を解除できる。
【００４９】
実施の形態２．
図１９及び図２０は、この発明の実施の形態２に係るものである。図１９は取付構造により照明装置を取り付けた状態を正面から見た構成を模式的に示す断面図である。そして、図２０は取付構造により照明装置を取り付けた状態を側面から見た構成を模式的に示す断面図である。
【００５０】
前述した実施の形態１は、保持持が引っ掛けられる第１の受け部と、引っ掛け部が引っ掛けられる第２の受け部とを、基礎部及び照明装置のアーム部とは別体として設けたものであった。これに対し、ここで説明する実施の形態２は、実施の形態１の構成において、第１の受け部を照明装置のアーム部に一体に設けるとともに、第２の受け部を基礎部に一体に設けるようにしたものである。以下、この実施の形態２に係る照明装置の取付構造について、実施の形態１の構成を元にした場合を例に挙げ、実施の形態１との相違点を中心に説明する。説明を省略した構成については実施の形態１と基本的に同様である。
【００５１】
この実施の形態に係る照明装置の取付構造は、図１９及び図２０に示すように、アーム部１２０には、照明装置丸孔１２１に代えて第１の長孔９が形成されている。そして、アーム部１２０とばね受け部７との間に圧縮ばね６が配置される。アーム部１２０における、第１の長孔９が形成され、圧縮ばね６が当接し、保持ピン２を引っ掛けることが可能である部分が、第１の受け部５ａである。
【００５２】
また、基礎部２０には、基礎部丸孔２１に代えて、第２の長孔８が形成されている。基礎部２０における、第２の長孔８が形成され、引っ掛けピン１を引っ掛けることが可能である部分が、第２の受け部３ａである。このように、この実施の形態では、実施の形態１で設けられていた第２の受け板３及び第１の受け板５を備えていない。
【００５３】
以上のように構成された照明装置の取付構造により、照明装置１００を基礎部２０に取り付ける際は、予め保持ピン２をアーム部１２０の第１の受け部５ａに引っ掛けることで、ばね受け部７と第１の受け部５ａとの間で圧縮ばね６が圧縮された状態にする。そして、ロッド部４を基礎部２０における第２の受け部３ａの第２の長孔８内に通すと、保持ピン２は、アーム部１２０の第１の受け部５ａと、基礎部２０の第２の受け部３ａとの間に挟まれた状態になる。この状態で、ロッド部４を回すと、アーム部１２０の第１の受け部５ａから保持ピン２の引っ掛かりが外れて、図１９及び図２０に示す状態となり、照明装置１００を基礎部２０に取り付けられる。
【００５４】
以上のように構成された照明装置の取付構造においても、実施の形態１と同様の効果を奏することができる。さらに、第２の受け板及び第１の受け板を設けることなく、基礎部とアーム部とにより第１の受け部及び第２の受け部を構成できるため、使用する部材の量を少なくすることが可能である。
【００５５】
実施の形態３．
図２１及び図２２は、この発明の実施の形態３に係るものである。図２１は取付構造により照明装置を取り付けた状態を正面から見た構成を模式的に示す断面図である。そして、図２２は取付構造により照明装置を取り付けた状態を側面から見た構成を模式的に示す断面図である。
【００５６】
前述した実施の形態１及び実施の形態２は、ばね受け部及び圧縮ばねが照明装置のアーム部の下側に配置され、引っ掛けピンが基礎部の上側に配置されるようにしたものであった。これに対し、ここで説明する実施の形態３は、実施の形態１又は実施の形態２の構成において、ばね受け部及び圧縮ばねが基礎部の上側に配置され、引っ掛けピンが照明装置のアーム部の下側に配置されるようにしたものである。以下、この実施の形態３に係る照明装置の取付構造について、実施の形態２の構成を元にした場合を例に挙げ、実施の形態２との相違点を中心に説明する。説明を省略した構成については実施の形態１又は実施の形態２と基本的に同様である。
【００５７】
この実施の形態に係る照明装置の取付構造は、図２１及び図２２に示すように、基礎部２０には、第２の長孔８に代えて第１の長孔９が形成されている。そして、基礎部２０とばね受け部７との間に圧縮ばね６が配置される。基礎部２０における、第１の長孔９が形成され、圧縮ばね６が当接し、保持ピン２を引っ掛けることが可能である部分が、第１の受け部５ａである。
【００５８】
また、アーム部１２０には、第１の長孔９に代えて第２の長孔８が形成されている。アーム部１２０における、第２の長孔８が形成され、引っ掛けピン１を引っ掛けることが可能である部分が、第２の受け部３ａである。
【００５９】
以上のように構成された照明装置の取付構造により、照明装置１００を基礎部２０に取り付ける際は、予め保持ピン２を基礎部２０の第１の受け部５ａに引っ掛けることで、ばね受け部７と第１の受け部５ａとの間で圧縮ばね６が圧縮された状態にする。そして、ロッド部４をアーム部１２０における第２の受け部３ａの第２の長孔８内に通すと、保持ピン２は、基礎部２０の第１の受け部５ａと、アーム部１２０の第２の受け部３ａとの間に挟まれた状態になる。この状態で、ロッド部４を回すと、基礎部２０の第１の受け部５ａから保持ピン２の引っ掛かりが外れて、図２１及び図２２に示す状態となり、照明装置１００を基礎部２０に取り付けられる。
【００６０】
このように、この実施の形態では、第１の受け部５ａ及びばね受け部７は、基礎部２０側に設けられている。そして、第２の受け部３ａ及び引っ掛けピン１は、基礎部２０側に設けられている。以上のように構成された照明装置の取付構造においても、実施の形態１又は実施の形態２と同様の効果を奏することができる。
【符号の説明】
【００６１】
１    引っ掛けピン
２    保持ピン
３    第２の受け板
３ａ  第２の受け部
４    ロッド部
５    第１の受け板
５ａ  第１の受け部
６    圧縮ばね
７    ばね受け部
８    第２の長孔
９    第１の長孔
１０    溝部
１１    第１の梁
１２    第２の梁
２０    基礎部
２１    基礎部丸孔
１００    照明装置
１１０    照明部
１２０    アーム部
１２１    照明装置丸孔
【図１】
2019220439.tif 000003
【図２】
2019220439.tif 000004
【図３】
2019220439.tif 000005
【図４】
2019220439.tif 000006
【図５】
2019220439.tif 000007
【図６】
2019220439.tif 000008
【図７】
2019220439.tif 000009
【図８】
2019220439.tif 000010
【図９】
2019220439.tif 000011
【図１０】
2019220439.tif 000012
【図１１】
2019220439.tif 000013
【図１２】
2019220439.tif 000014
【図１３】
2019220439.tif 000015
【図１４】
2019220439.tif 000016
【図１５】
2019220439.tif 000017
【図１６】
2019220439.tif 000018
【図１７】
2019220439.tif 000019
【図１８】
2019220439.tif 000020
【図１９】
2019220439.tif 000021
【図２０】
2019220439.tif 000022
【図２１】
2019220439.tif 000023
【図２２】
2019220439.tif 000024